(57)【特許請求の範囲】
【請求項１】
自走機体の前部にシリンダを後方上方が後傾となる姿勢に配置したエンジンを搭載し、自走機体の後部に運転座席を配置してある水田作業機であって、前記エンジンの上方部にステアリングハンドルを配置し、前記エンジンの下方部に前輪を操向操作するための操向操作手段を配置し、前記ステアリングハンドルの操向作動に伴って前記操向操作手段を操向作動させる連動手段を、前記エンジンの前方を迂回する状態に設け、前記連動手段には、前記エンジンよりも下方で、且つ側面視で前記エンジンの前端よりも前方位置から前記エンジンの前端位置よりも後方に亘るギヤ列を備え、前記操向操作手段には前記ギヤ列の終端ギヤの上下軸に連動して前輪を操向させるピットマンアームを備え、前記ピットマンアームを前記上下軸より前方に向けて突設するとともに、前記ピットマンアームの前端側に左右一対のドラグリンクの一端側を連結し、各ドラグリンクの他端側を斜め後方に位置する左右のナックルアームに連結してある水田作業機。
【請求項２】
前記連動手段として、複数の軸を繋いだ構造の操作伝達軸を備えたものを設けてある請求項１記載の水田作業機。
【請求項３】
前記連動手段として、ギヤ列で構成され、水平方向に操作力を伝達する水平伝達部を備えたものを設けてある請求項１または２に記載の水田作業機。
【請求項４】
前記連動手段のうちのエンジンの上端部位置よりも上位の操作伝達軸部分に、操向操作力を増大させるトルクジェネレータを設けてある請求項１〜３のいずれか１項に記載の水田作業機。
【請求項５】
前記連動手段のうちのエンジンの上端部位置近傍における操作伝達軸部分に、操向操作力を増大させるトルクジェネレータを設けてある請求項１〜３のいずれか１項に記載の水田作業機。
【請求項６】
前記連動手段のうちのエンジンの上端部位置よりも下位の操作伝達軸部分に、操向操作力を増大させるトルクジェネレータを設けてある請求項１〜３のいずれか１項に記載の水田作業機。
【発明の詳細な説明】
【技術分野】
【０００１】
本発明は、自走機体の前部にエンジンを搭載し、自走機体の後部に運転座席を配置してある田植機などの水田作業機に関する。
【背景技術】
【０００２】
従来のこの種の水田作業機では、エンジンの後方部にステアリングハンドルを配置していた。
【発明の開示】
【発明が解決しようとする課題】
【０００３】
しかし、上記従来の技術によるときは、エンジンとステアリングハンドルとが前後に並んで配置するため、エンジン及びステアリングハンドルを含む水田作業機の前部構成が前後方向で長いものになっていた。
【０００４】
本発明の目的は、前部構成を前後方向でコンパクトにする点にある。
【課題を解決するための手段】
【０００５】
【０００６】
【０００７】
【０００８】
【０００９】
【００１０】
【００１１】
【００１２】
【００１３】
請求項１に係る本発明による水田作業機の特徴・作用・効果は次の通りである。
【００１４】
〔特徴〕
自走機体の前部にシリンダを後方上方が後傾となる姿勢に配置したエンジンを搭載し、自走機体の後部に運転座席を配置してある水田作業機であって、前記エンジンの上方部にステアリングハンドルを配置し、前記エンジンの下方部に前輪を操向操作するための操向操作手段を配置し、前記ステアリングハンドルの操向作動に伴って前記操向操作手段を操向作動させる連動手段を、前記エンジンの前方を迂回する状態に設け、前記連動手段には、前記エンジンよりも下方で、且つ側面視で前記エンジンの前端よりも前方位置から前記エンジンの前端位置よりも後方に亘るギヤ列を備え、前記操向操作手段には前記ギヤ列の終端ギヤの上下軸に連動して前輪を操向させるピットマンアームを備え、前記ピットマンアームを前記上下軸より前方に向けて突設するとともに、前記ピットマンアームの前端側に左右一対のドラグリンクの一端側を連結し、各ドラグリンクの他端側を斜め後方に位置する左右のナックルアームに連結してある点にある。
【００１５】
〔作用〕
エンジンの前方を迂回する連動手段を介してエンジンの上方部に配置したステアリングハンドルとエンジンの下方部に配置した操向操作手段とを連動させてあるから、ステアリングハンドルをエンジンよりも後方に配置されていた従来構造のものよりも前方部に配置させることができる。
操向操作手段として汎用性の高いピットマンアーム式のものを設けてあるから、操向操作手段の汎用化を図ることができる。
【００１６】
〔効果〕
従って、エンジンとステアリングハンドルを含む前部構成を前後方向でコンパクトにすることができるようになった。
又、ローコストで実施できるようになった。
【００１７】
請求項２に係る本発明による水田作業機の特徴・作用・効果は次の通りである。
【００１８】
〔特徴〕
上記請求項１に係る本発明による水田作業機において、前記連動手段として、複数の軸を繋いだ構造の操作伝達軸を備えたものを設けてある点にある。
【００１９】
〔作用〕
複数の軸を迂回用の屈曲経路に沿って配置して繋ぐことにより操作伝達軸を屈曲迂回経路に沿った状態に構成することができるから、連動手段をエンジン迂回状態に設けることができる。
【００２０】
〔効果〕
従って、エンジンとステアリングハンドルを含む前部構成を前後方向でコンパクトにすることができるようになった。
【００２１】
請求項３に係る本発明による水田作業機の特徴・作用・効果は次の通りである。
【００２２】
〔特徴〕
上記請求項１や２に係る本発明による水田作業機において、前記連動手段として、ギヤ列で構成され、水平方向に操作力を伝達する水平伝達部を備えたものを設けてある点にある。
【００２３】
〔作用〕
水平伝達部を設けてあるから、連動手段のエンジン迂回を容易に行うことができる。
【００２４】
〔効果〕
従って、構造簡単に実施できるようになった。
【００２５】
請求項４に係る本発明による水田作業機の特徴・作用・効果は次の通りである。
【００２６】
〔特徴〕
上記請求項１や２，３に係る本発明による水田作業機において、前記連動手段のうちのエンジンの上端部位置よりも上位の操作伝達軸部分に、操向操作力を増大させるトルクジェネレータを設けてある点にある。
【００２７】
〔作用〕
トルクジェネレータを設けて操向操作力を増大させるようにしてあるから、操向操作手段を確実に操向作動させながらも、操向操作する際のステアリングハンドルに対する操作力を小さくすることができる。
【００２８】
〔効果〕
従って、ステアリングハンドルを介する操向操作を軽快に行うことができるようになった。
【００２９】
請求項５に係る本発明による水田作業機の特徴・作用・効果は次の通りである。
【００３０】
〔特徴〕
上記請求項１や２，３に係る本発明による水田作業機において、前記連動手段のうちのエンジンの上端部位置近傍における操作伝達軸部分に、操向操作力を増大させるトルクジェネレータを設けてある点にある。
【００３１】
〔作用〕
トルクジェネレータを設けて操向操作力を増大させるようにしてあるから、操向操作手段を確実に操向作動させながらも、操向操作する際のステアリングハンドルに対する操作力を小さくすることができる。
【００３２】
〔効果〕
従って、ステアリングハンドルを介する操向操作を軽快に行うことができるようになった。
【００３３】
請求項６に係る本発明による水田作業機の特徴・作用・効果は次の通りである。
【００３４】
〔特徴〕
上記請求項１や２，３に係る本発明による水田作業機において、前記連動手段のうちのエンジンの上端部位置よりも下位の操作伝達軸部分に、操向操作力を増大させるトルクジェネレータを設けてある点にある。
【００３５】
〔作用〕
トルクジェネレータを設けて操向操作力を増大させるようにしてあるから、操向操作手段を確実に操向作動させながらも、操向操作する際のステアリングハンドルに対する操作力を小さくすることができる。
【００３６】
〔効果〕
従って、ステアリングハンドルを介する操向操作を軽快に行うことができるようになった。
【００３７】
【００３８】
【００３９】
【００４０】
【００４１】
【００４２】
【００４３】
【００４４】
【００４５】
【００４６】
【００４７】
【００４８】
【発明を実施するための最良の形態】
【００４９】
〔実施形態１〕
水田作業機の一例である乗用型田植機は、図１、図２に示すように、自走機体１の後部に水田作業装置の一例である複数条植え式の苗植付け装置２をリンク機構３を介して昇降自在に連結し、圧油供給に伴い前記苗植付け装置２を上昇させかつ排油に伴い自重で下降させる油圧シリンダ利用のリフトシリンダ４を設けて構成されている。
【００５０】
前記自走機体１は、左右一対の操向用の駆動前輪５と左右一対の駆動後輪６とを備えた機体フレーム７の前部にボンネット８で覆われたエンジン９と前記駆動前輪５に対する操作用のステアリングハンドル１０とを配設し、機体フレーム７の後部に運転座席１１と施肥ホッパー１２とこのホッパー１２から繰り出された肥料を圧送するための気流を発生させる電動式のブロワー１３とを配設して構成されている。また、自走機体１は、前輪フェンダーを兼用する搭乗ステップ１４と後輪フェンダー１５とを備えている。
【００５１】
前記苗植付け装置２は、植付け走行に伴い圃場面を滑走して圃場面を整地する接地フロート２４と、複数枚のマット苗を左右方向に並べる状態で載置可能で左右方向に設定ストロークで往復駆動移動させられる苗のせ台２５と、この苗のせ台２５の移動に連動して苗のせ台２５下端の苗取り出し口と前記接地フロート２４による整地圃場面との間で循環作動することにより苗のせ台２５上のマット苗を植付け単位量づつ取り出して整地圃場面に植え付ける植付け機構２６とを有する。そして、植付け走行に伴い圃場面に施肥用の溝を形成するとともに自走機体１からホース２７を介して圧送されてくる肥料を溝に供給する作溝器２８を備えている。
【００５２】
そして、前記施肥ホッパー１２、ブロワー１３、ホース２７、作溝器２８から施肥装置が構成されている。
【００５３】
前記機体フレーム７は、図１にも示すように、前記エンジン９によりベルト伝動装置１６を介して駆動される前後進切り換え自在な静油圧式の無段変速装置１７の出力を走行部（駆動前輪５と駆動後輪６）と前記苗植付け装置２とに分配するミッションケース１８と、これの前部に固定連結したエンジン搭載フレーム１９と、前記ミッションケース１８の後部に固定連結されて運転座席１１や前記後輪フェンダー１５などを支持する左右一対の後部フレーム２０とから構成されている。１７ａは、前記ステアリングハンドル１０よりも左右外方に突出する状態に設けた前記無段変速装置１７の操作レバーである。
【００５４】
前記駆動前輪５のそれぞれは、それらへの伝動機構を内装した左右の前車軸ケース２１それぞれを介して前記ミッションケース１８に支持されている。
【００５５】
前記駆動後輪６のそれぞれは、それらへのチェーン伝動機構を内装する状態で前部支点Ｒ周りに上下揺動自在な左右のスイングケース２２それぞれを介して前記ミッションケース１８に格別に上下動自在に支持されている。なお、各スイングケース２２と前記後部フレーム２０との間には、スイングケース２２を下方に揺動付勢するサスペンションスプリング２３が介装されている。
【００５６】
前記ステアリングハンドル１０は、前記エンジン９の上方部に配置されている。
【００５７】
また、前記エンジン９は、エンジン下部のクランクケース９Ａに対して上部のシリンダ９Ｂを後方に位置させる後傾姿勢に配置搭載されており、このエンジン９の下方部には、前記駆動前輪５を操向操作するための操向操作手段２９が配置されている。
【００５８】
前記操向操作手段２９は、図３にも示すように、ピットマンアーム式の手段であって、両端でそれぞれ左右の駆動前輪５のナックルアーム３０にドラグリンク４７を介して連動連結したピットマンアーム４６を左右に揺動することにより駆動前輪５を操向作動させる大径部分ギヤ４９を設け、この大径部分ギヤ４９に噛み合う状態で上下向き軸芯周りに回転することにより大径部分ギヤ４９を揺動回転させる小径ピニオンギヤ４８を設けて構成されている。
【００５９】
前記ステアリングハンドル１０の操向作動に伴って前記操向操作手段２９を操向作動させる連動手段３４は、図４にも示すように、前記エンジン９の前方を迂回する状態に構成されている。具体的には、複数の軸３５を自在継ぎ手３６を介して繋いだ構造の屈曲自在な操作伝達軸３７と、操向操作力を増大させるトルクジェネレータ３８とを備えている。そして、前記操作伝達軸３７は、前記トルクジェネレータ３８の上に立設したハンドルポストの上端に回転自在に支持させた第１軸４０と、この第１軸４０に上端で自在継ぎ手３６を介して連動連結する第２軸４１と、この第２軸４１の下端に上端で自在継ぎ手３６を介して連動連結しかつ下端に前記操向操作手段２９のピニオン４３を一体回転状態に装着した第３軸４２とを設けて構成されている。第１軸４０、第２軸４１、第３軸４２が前記軸３５であり、前記トルクジェネレータ３８は、前記第３軸４２の上部を構成する状態に設けられている。つまり、トルクジェネレータ３８は、上部の入力軸３８ａで自在継ぎ手３６を介して第２軸４１に一体回転状態に連動連結し、下部の出力軸３８ｂで第３軸４２の下部軸部に一体回転状態に連結するものであり、結果として、操作伝達下手側部分に設置されている。
【００６０】
なお、前記左右の駆動後輪６への伝動系のそれぞれには、図３に示すように、駆動後輪６への伝動を格別に断続するためのサイドクラッチ５３が介装されており、これらサイドクラッチ５３に対する操作系は、前記ナックルアーム３０に一体連設した操作アーム３０ａとサイドクラッチ５３の操作レバー５３ａとを、直進から設定値以上の操向作動に伴って旋回内側の駆動後輪６に対するサイドクラッチ５３が可逆的に入り状態から切り状態に切り換わるようにロッド５４を介して連動連結して構成されている。
【００６１】
【００６２】
【００６３】
【００６４】
【００６５】
【００６６】
【００６７】
【００６８】
【００６９】
【００７０】
【００７１】
【００７２】
【００７３】
【００７４】
【００７５】
【００７６】
【００７７】
【００７８】
【００７９】
【００８０】
【００８１】
【００８２】
【００８３】
図４に示すように、連動手段３４をエンジン９の前方を迂回する状態に設けて、第３軸４２と操向操作手段２９の小径ピニオンギヤ４８とをギヤ列４３を介して連動させたものである。ギヤ列４３が、水平方向に操作力を伝達する水平伝達部Ｈである。
【００８４】
〔実施形態２〕
図５に示すように、連動手段３４をエンジン９の前方を迂回する状態に設けて、第３軸４２と操向操作手段２９の小径ピニオンギヤ４８とをギヤ列４３を介して連動させたものである。ギヤ列４３が、水平方向に操作力を伝達する水平伝達部Ｈである。
【００８５】
〔実施形態３〕
図６に示すように、連動手段３４をエンジン９の前方を迂回する状態に設けて、第３軸４２と操向操作手段２９の小径ピニオンギヤ４８とをギヤ列４３を介して連動させたものである。ギヤ列４３が、水平方向に操作力を伝達する水平伝達部Ｈである。
【００８６】
〔実施形態４〕
図７に示すように、連動手段３４をエンジン９の前方を迂回する状態に設けて、第３軸４２と操向操作手段２９の小径ピニオンギヤ４８とをギヤ列４３を介して連動させたものである。ギヤ列４３が、水平方向に操作力を伝達する水平伝達部Ｈである。
【００８７】
〔実施形態５〕
図８に示すように、連動手段３４をエンジン９の前方を迂回する状態に設けて、第３軸４２と操向操作手段２９の小径ピニオンギヤ４８とをギヤ列４３を介して連動させたものである。ギヤ列４３が、水平方向に操作力を伝達する水平伝達部Ｈである。
【００８８】
〔実施形態６〕
図９に示すように、連動手段３４をエンジン９の前方を迂回する状態に設けて、第２軸４１と第３軸４２ともギヤ列４４を介して連動させたものである。ギヤ列４４も、前記ギヤ列４３と同様に、水平方向に操作力を伝達する水平伝達部Ｈである。
【００８９】
〔実施形態７〕
図１０に示すように、連動手段３４をエンジン９の前方を迂回する状態に設けて、第２軸４１と第３軸４２ともギヤ列４４を介して連動させたものである。ギヤ列４４も、前記ギヤ列４３と同様に、水平方向に操作力を伝達する水平伝達部Ｈである。
【００９０】
〔実施形態８〕
図１１に示すように、連動手段３４をエンジン９の前方を迂回する状態に設けて、第２軸４１と第３軸４２ともギヤ列４４を介して連動させたものである。ギヤ列４４も、前記ギヤ列４３と同様に、水平方向に操作力を伝達する水平伝達部Ｈである。
【００９１】
〔別実施形態〕
上記実施形態では、連動手段３４のうち下部の水平伝達部Ｈを小径ピニオンギヤ４８と大径部分ギヤ４９とを備えたギヤ伝動式の減速機構に構成したが、減速機構としては、ギヤ列であっても良い。
【００９２】
【００９３】
【００９４】
上記実施の形態では、トルクジェネレータ３８を設けて実施したが、操向操作をパワーアシストなしに行うようにしても良い。
【図面の簡単な説明】
【００９５】
【図１】実施形態１を示す田植機の側面図
【図２】実施形態１を示す田植機の平面図
【図３】実施形態１を示す要部の概略平面図
【図４】実施形態１を示す要部の概略側面図
【図５】実施形態２を示す要部の概略側面図
【図６】実施形態３を示す要部の概略側面図
【図７】実施形態４を示す要部の概略側面図
【図８】実施形態５を示す要部の概略側面図
【図９】実施形態６を示す要部の概略側面図
【図１０】実施形態７を示す要部の概略側面図
【図１１】実施形態８を示す要部の概略側面図
【符号の説明】
【００９６】
１          自走機体
５          前輪
９          エンジン
９Ｂ        シリンダ
１０        ステアリングハンドル
１１        運転座席
２９        操向操作手段
３０        ナックルアーム
３４        連動手段
３５        軸
３７        操作伝達軸
３８        トルクジェネレータ
４６        ピットマンアーム
４７        ドラグリンク
４８        小径ピニオンギヤ
４９        大径ギヤ
Ｈ          水平伝達部
【図１】
0004167272.tif 000002
【図２】
0004167272.tif 000003
【図３】
0004167272.tif 000004
【図４】
0004167272.tif 000005
【図５】
0004167272.tif 000006
【図６】
0004167272.tif 000007
【図７】
0004167272.tif 000008
【図８】
0004167272.tif 000009
【図９】
0004167272.tif 000010
【図１０】
0004167272.tif 000011
【図１１】
0004167272.tif 000012